(57)【要約】【課題】  刃面を肌に沿って追従させて肌への刃面の密着感、肌当たりを良くする。【解決手段】  本体グリップ２と、本体グリップ２の一端部に配設されて本体グリップ２と反対側の面に刃面を有する刃ヘッド１と、刃ヘッド１と本体グリップ２とを連結する一対の連結部材２５を備える。一対の連結部材２５をそれぞれ本体グリップ２に対して連結する本体側連結部Ａと刃ヘッド１に対して連結する刃ヘッド側連結部Ｂとを設けて刃ヘッド１を本体グリップ２に対して前後又は左右に揺動自在とする。本体側連結部Ａを刃ヘッド側連結部Ｂよりも刃ヘッド１の刃面側に近づくように配置して、上記一対の連結部材２５を介して刃ヘッド１を本体グリップ２に対して揺動自在に吊下げる。【選択図】        図１
2005192615.tif 000002
【特許請求の範囲】
【請求項１】
本体グリップと、本体グリップの一端部に配設されて本体グリップと反対側の面に刃面を有する刃ヘッドと、刃ヘッドと本体グリップとを連結する一対の連結部材を備え、一対の連結部材をそれぞれ本体グリップに対して連結する本体グリップ側連結部と刃ヘッドに対して連結する刃ヘッド側連結部とを設けて刃ヘッドを一対の連結部材を介して本体グリップに対して前後又は左右に揺動自在とした電気かみそりにおいて、上記本体グリップ側連結部を刃ヘッド側連結部よりも刃ヘッドの刃面側に近づくように配置して、上記一対の連結部材を介して刃ヘッドを本体グリップに対して揺動自在に吊下げて成ることを特徴とする電気かみそり。
【請求項２】
一対の連結部材の刃ヘッド側連結部間の距離を本体グリップ側連結部間の距離よりも長くして成ることを特徴とする請求項１記載の電気かみそり。
【請求項３】
一対の連結部材の刃ヘッド側連結部間の距離を本体グリップ側連結部間の距離の１．５倍以上として成ることを特徴とする請求項２記載の電気かみそり。
【請求項４】
一対の連結部材の刃ヘッド側連結部と本体グリップ側連結部とを結ぶ線同士のなす角度が３０°〜１２０°の範囲にあることを特徴とする請求項１乃至請求項３のいずれかに記載の電気かみそり。
【請求項５】
刃ヘッド側連結部乃至本体グリップ側連結部の少なくとも一方が、軸を長孔に回転自在且つ摺動自在に挿入した連結構造となっていることを特徴とする請求項１乃至請求項４のいずれかに記載の電気かみそり。
【請求項６】
本体グリップの外殻を構成する本体グリップケースに該本体グリップケースから離れる方向にばね付勢された状態で本体グリップケースに対して移動自在に支持台を設け、該支持台に連結部材を本体グリップ側連結部により連結してあることをあることを特徴とする請求項１乃至請求項５のいずれかに記載の電気かみそり。
【請求項７】
刃ヘッドが本体グリップ側に対して引っ張りばねで本体グリップ側に向けて引っ張ってあることを特徴とする請求項１乃至請求項６のいずれかに記載の電気かみそり。
【発明の詳細な説明】
【技術分野】
【０００１】
本発明は、刃ヘッドが本体グリップに対して前後方向あるいは左右方向に動くことで肌に密着して髭剃りができるようにした電気かみそりに関するものである。
【背景技術】
【０００２】
早剃り性能の向上や肌当たり、フィット感の向上を目的として刃ヘッドに複数箇所の剃り部を設けて刃面を構成し、グリップ部を有する本体グリップに対して刃ヘッドが動くことにより刃面を肌に密着できるようにした電気かみそりが数多く提案されている。（例えば、特許文献１、特許文献２、特許文献３参照。）
特許文献１に示された従来例は、複数の刃ヘッドを備えたヘッドブロックの左右の上端付近に回転軸を設け、この回転軸を中心にヘッドブロック全体の前後回転を自在とすることで多様な剃り方に対しても刃ヘッドが肌に追従するようにしたものである。
【０００３】
しかしながら、上記特許文献１に示された従来例においては、肌とヘッドブロックのよりよい密着性を求めようとすると、回転軸が外刃の上端付近、あるいは外刃より上面に配置する必要があり、髭剃り時にこれらの軸周りに肌が当たって肌当たりが悪くなったり、逆に軸位置を下げることにより十分な密着性が得られないという問題がある。
【０００４】
特許文献２は、グリップ部を有する本体グリップと、本体グリップの一端部に配設されて本体グリップと反対側の面に刃面を有する刃ヘッドと、刃ヘッドと本体グリップとを連結する一対の連結部材をそれぞれ左右に備え、左右に備えた一対の連結部材にそれぞれ本体グリップに対して連結部材を連結した本体グリップ側連結部と、刃ヘッドに対して連結部材を連結した刃ヘッド側連結部とを設けて刃ヘッドを一対の連結部材を介して本体グリップに対して前後に揺動自在としたもので、刃ヘッド側連結部を本体グリップ側連結部よりも刃ヘッドの刃面側に近づくように配置して、１対の連結部材により本体グリップから刃ヘッドを揺動自在に持ち上げた構成となっている。言いかえると、特許文献２に示された従来例は一対の連結部材を介して本体グリップに対して刃ヘッドを揺動自在に持ち上げ支持した持ち上げ支持方式のものである。そして、この持ち上げ支持方式の特許文献１においては、左右に備えた一対の連結部材の刃ヘッド側連結部と本体グリップ側連結部とを結ぶ線の交点を瞬間仮想支点としてこの左右の瞬間仮想支点を刃ヘッドの刃面である上端の左右付近におき、瞬間仮想支点を中心に刃ヘッド全体を前後回転を行い、特許文献１の問題を解決しようとしたものである。
【０００５】
しかしながら、この特許文献２に示された持ち上げ支持方式にあっては、図１９の実線の状態で、図１９において刃面Ｃ’の左側に斜め上方から力Ｐ１が作用したとすると（例えば、刃ヘッド１の刃面Ｃの前部が肌に押付けられた場合、）、図１９の破線に示すように左側の連結部材２５’が本体グリップ側連結部Ａ’を中心にして図１９において時計周りに回動し、刃ヘッド側連結部Ｂ’間の距離が一定であるため左側の連結部材２５’の回動に連動して右側の連結部材２５’が破線に示すように時計回りに回動し、更に、左側の連結部材が２５’一点鎖線に示すように時計回りに回動し、これに連動して右側の連結部材２５’が一点鎖線に示すように時計回りに回動する。更に、この一点鎖線の状態で左側の連結部材２５’の本体グリップ側の回動点となる本体グリップ側連結部Ａ’と、左側の連結部材２５’の刃ヘッド１’側の回動点となる刃ヘッド側連結部Ｂ’と、右側の連結部材２５’の刃ヘッド１側の回動点となる刃ヘッド側連結部Ｂ’とが一直線上となり、この一直線状態を越して左側の連結部材２５’が更に水平となる方向に時計回りに回動し、これに連動して右側の連結部材２５’が反時計回りに回動する。左側の連結部材が水平となっても上記斜めの力Ｐ１により更に左側の連結部材２５’は回動しようとし、理論的には左側の連結部材２５’が本体グリップ側連結部Ａ’を中心に回動して水平を越えて上記力Ｐ１の作用する方向と平行となるまで回動しようとする。これはＰ２のようにＰ１と異なる方向の力が作用した場合も同様に、斜めの力Ｐ２により左側の連結部材２５’は本体グリップ側連結部Ａ’を中心に回動して水平を越えて上記力Ｐ２が作用する方向と平行となるまで回動しようとする。
【０００６】
上記Ｐ１、Ｐ２は刃ヘッド１’を肌に押し当てた場合の肌から刃面Ｃ’に作用する反力であり、したがって、上記特許文献２に示される従来例においては、肌への刃面の押し当て状態の違い（つまり、上記Ｐ１、Ｐ２といった肌からの刃面Ｃ’に受ける反力の方向の違い）があっても、必ず斜めの力が作用している方の連結部材２５’が水平を超えて回動しようとするものであり、このため、この従来例のものを製品化しようとすれば、当然、上記連結部材２５’が水平となる前の段階で回動を阻止する別途ストッパが必要となる。
【０００７】
このように特許文献２に示された従来例は別途ストッパが必要であるばかりでなく、肌への刃面Ｃ’の押し当て状態が異なっても、必ず、ストッパに当たって停止するまで連結部材２５’が回動するので、常に刃ヘッド１’はいっぱいに回動しきってしまって、本体グリップに対して一定の傾き状態で前傾姿勢で停止してしまい、このため、肌への刃面Ｃ’の異なる押し当て状態に対応して上記肌からの反力が作用する方向に対して刃面Ｃ’が垂直姿勢に保持できず傾いてしまい、肌への刃面Ｃ’の密着感、肌当たりが悪いという問題があった。
【０００８】
また、特許文献３にあっては、モータと刃ヘッドを一体として本体グリップに対して左右回転自在に支持されており、左右の回転する時の回転の仮想中心を刃面付近とするため、刃ヘッドの下部が本体グリップの円弧状レールに沿って滑る構成となっていることで、回転中心から離れた位置で摩擦抵抗が働いてしまい、刃ヘッドの動きに対して抵抗力が大きくなり、肌への追従を妨げてしまうという問題がある。また、前後方向からの肌の押付けにより「こじる」力が発生してしまい円弧状レールがスムーズに滑らないという問題がある。
【特許文献１】特開昭６２−２２７３９６号公報
【特許文献２】特開平５−２００１６６号公報
【特許文献３】特開平６−３４３７７６号公報
【発明の開示】
【発明が解決しようとする課題】
【０００９】
本発明は上記の従来の問題点に鑑みて発明したものであって、刃ヘッドの刃面を肌に沿って追従させて、肌の状態や押し当て方向に応じて常に刃面を肌に対して最適の姿勢にして肌への刃面の密着感、肌当たりが良好となり、髭剃り時に腕に負担をかけることなく楽に髭剃りができる電気かみそりを提供することを課題とするものである。
【課題を解決するための手段】
【００１０】
上記課題を解決するために本発明に係る電気かみそりは、本体グリップ２と、本体グリップ２の一端部に配設されて本体グリップ２と反対側の面に刃面Ｃを有する刃ヘッド１と、刃ヘッド１と本体グリップ２とを連結する一対の連結部材２５を備え、一対の連結部材２５をそれぞれ本体グリップ２に対して連結する本体側連結部Ａと刃ヘッド１に対して連結する刃ヘッド側連結部Ｂとを設けて刃ヘッド１を一対の連結部材２５を介して本体グリップ２に対して前後又は左右に揺動自在とした電気かみそりにおいて、上記本体側連結部Ａを刃ヘッド側連結部Ｂよりも刃ヘッド１の刃面Ｃ側に近づくように配置して、上記一対の連結部材２５を介して刃ヘッド１を本体グリップ２に対して揺動自在に吊下げて成ることを特徴とするものである。
【００１１】
このような構成とすることで、刃ヘッド１が一対の連結部材２５により本体グリップ２に対して揺動自在に吊り下げ支持されて前後又は左右に揺動して刃面Ｃが肌に追随するのであるが、肌の状態や本体グリップ２を手で持っての刃ヘッドの押し当て方向の変化に応じて、上記のように前後又は左右に揺動して、両連結部材のうちいずれか一方の連結部材の本体側連結部Ａと刃ヘッド側連結部Ｂとを結ぶ線が、肌からの刃ヘッド１の刃面Ｃに作用する力の方向と平行関係となった状態で、刃ヘッド１がそれ以上回動せず、肌に対して刃面Ｃが最適の姿勢で肌に押し当てられて安定することになる。このように、肌の状態や押し当て方向に応じて刃ヘッド１を揺動して肌に追随させて、常に刃面Ｃを肌に対して最適の姿勢にして肌への刃面Ｃの密着感、肌当たりを良好にできて、剃り残しを少なくして良好な髭剃りができるものである。
【００１２】
また、一対の連結部材２５の刃ヘッド側連結部Ｂ間の距離を本体側連結部Ａ間の距離よりも長くすることが好ましい。
【００１３】
このような構成とすることで、両連結部材２５のそれぞれの本体側連結部Ａと刃ヘッド側連結部Ｂとを結ぶ線の交点である瞬間仮想支点を刃面Ｃ側に近づけて位置させることができると共に、該刃面Ｃ側に近づけて位置させる瞬間仮想支点を中心に刃ヘッド１が揺動することになり、低抵抗で揺動できるため、揺動がスムーズに行えると共に小さな押付け力で肌へ刃面Ｃの十分な密着力が得られ、軽い操作で良好な髭剃りができるものである。
【００１４】
また、一対の連結部材２５の刃ヘッド側連結部Ｂ間の距離を本体側連結部Ａ間の距離の１．５倍以上とすることが好ましい。
【００１５】
一対の連結部材２５の刃ヘッド側連結部Ｂ間の距離が本体側連結部Ａ間の距離の１．５倍に満たないと揺動角度が小さ過ぎて、刃面の肌への追従効果が良好でないが、１．５倍以上とすることで、一対の連結部材２５により肌への追従がスムーズ且つ安定して行えるように刃ヘッド１を揺動自在に吊り下げ支持できるものである。
【００１６】
また、一対の連結部材２５の刃ヘッド側連結部Ｂと本体グリップ側連結部Ａとを結ぶ線同士のなす角度が３０°〜１２０°の範囲にあることが好ましい。
【００１７】
また、刃ヘッド側連結部Ｂ乃至本体側連結部Ａの少なくとも一方が、軸を長孔に回転自在且つ摺動自在に挿入した連結構造となっていることが好ましい。
【００１８】
このような構成とすることで、軸が長孔内で回動すると共に長孔に沿って移動することで、刃ヘッドの回動角度を大きく取れ、肌に対して刃ヘッド１を揺動させて軽い力で肌に対して素早く追従させて刃面Ｃを肌に対して好ましい安定した姿勢にすることできる。
【００１９】
また、本体グリップ２の外殻を構成する本体グリップケース２６に該本体グリップケース２６から離れる方向にばね付勢された状態で本体グリップケース２６に対して移動自在に支持台３１を設け、該支持台３１に連結部材２５を本体グリップ側連結部Ａにより連結してあることが好ましい。
【００２０】
このような構成とすることで、刃ヘッド１が本体グリップ２に対してフロート自在であると共に前後方向又は左右方向に揺動自在となり、肌への追従性をより高め、肌への衝撃を緩和して肌当たりが滑らかな剃り心地が得られるものである。
【００２１】
また、刃ヘッド１が本体グリップ２側に対して引っ張りばねで本体グリップ２側に向けて引っ張ってあることが好ましい。
【００２２】
このような構成とすることで、刃ヘッド１への肌からの外力が無い状態において、常に刃ヘッド１の傾きを中立に保つことができ、肌に対する当て角が安定するものである。また、引張りばねによりばね力が揺動方向の回動力に及ぼす力を小さくでき、肌への追従性をよりいっそう高めることができるものである。
【発明の効果】
【００２３】
本発明は、肌の状態や押し当て方向に応じて刃ヘッドを揺動して肌に追随させて、常に刃面を肌に対して最適の姿勢にして肌への刃面の密着感、肌当たりを良好にできて、剃り残しを少なくして良好な髭剃りができ、この結果、髭剃り時に本体グリップ部を持つ腕に負担をかけることなく楽に髭剃りができるという効果を有している。
【発明を実施するための最良の形態】
【００２４】
以下、本発明を添付図面に示す実施形態に基いて説明する。
【００２５】
図１乃至図７には本発明の一実施形態が示してある。電気かみそりは、外周部が手で把持するグリップ部となった細長の本体グリップ２の長手方向の一端部に髭を剃るための刃面Ｃを有する刃ヘッド１を配設して構成してある。ここで、本体グリップ２の長手方向の一端部の刃ヘッド１を配設する方の端部側を今仮に「上」、長手方向の他端部側を「下」と定義すると、本体グリップ２の上側の端部に刃ヘッド１を配設してある。
【００２６】
まず、刃ヘッド１を図２に基いて説明する。刃ヘッド１はリニアモータよりなるモータ４、内刃５、外刃ブロック６、モータ４を収納保持するヘッドケース７、ヘッドケースカバー８から構成してあり、リニアモータよりなるモータ４の振動方向（つまり内刃５の往復移動方向）を今仮に左右方向と定義した場合、左右方向の振動がその先端の駆動子９によって内刃５に伝えられて、内刃５が左右方向に往復駆動して、外刃ブロック６の外刃１０に設けた刃穴に入った髭をカットするようになっている。
【００２７】
なお、以下の説明では、上記の定義による上下方向、左右方向のいずれにも直交する方向を前後方向として説明する。
【００２８】
リニアモータよりなるモータ４はヘッドケース７の上開口部から内部に上から挿入して内装され、モータ４をヘッドケース７内に内装した状態で上開口部にヘッドケースカバー８を被せ、駆動子防水ゴム１１とゴム押さえ板１２を介してねじ１３で固定してある。
【００２９】
モータ４の下側はヘッドケース７の下方からねじ１４を螺入することでヘッドケース７に固定される。このようにヘッドケース７内にモータ４を内装してヘッドケース７とヘッドケースカバー８とで挟まれた状態で固定することで、ヘッドケース７、モータ４、ヘッドケースカバー８、駆動子防水ゴム１１、ゴム押さえ板１２により一つの防水構造の箱体内にモータ４を内装した駆動ブロックを構成してある。
【００３０】
モータ４の下側から延びているリード線１５はモータ４を駆動させるためにその先端部が本体グリップ２内の駆動回路１６に結合されるものであり、ヘッドケース７の底部に設けた孔１７を通って下側に露出した状態でヘッドケース７に固定してある。
【００３１】
ヘッドケース７の長手方向の両端面部（左右方向の両端面部）には着脱釦ばね１８と着脱釦１９が配置してあり、着脱釦ばね１８により着脱釦１９が外側に付勢された状態となっている。
【００３２】
ヘッドケースカバー８の上面中央の孔からモータ４の駆動子９が突出しており、この駆動子９にはスリット駆動杆２０、トリマー駆動杆２１が設けてあると共に、内刃押上ばね２２がばねストッパ２３で固定してあり、内刃５が内刃押上ばね２２により上方に付勢された状態で駆動子９に結合している。
【００３３】
外刃ブロック６には３つの外刃１０が前後方向に並べて装着してある。これらの外刃１０は前から後にかけて順にネット刃１０ａ、スリット刃１０ｂ、ネット刃１０ａで構成してある。これらの外刃１０はいずれも独立してフロート可能となるように、枠形状の保持部材（図示省略）により保持してある。そして、本実施形態では上記１０ａ、スリット刃１０ｂ、ネット刃１０ａにより電気かみそりとしての刃面Ｃが構成されるものであり、したがって、本実施形態においては刃ヘッド１の上面部に刃面Ｃが存在することになる。
【００３４】
ヘッドケース７の下端部には前面から見て左右２箇所に前後方向に長い溝２４が設けてある。この左右一対の溝２４は刃ヘッド１に対して一対の連結部材２５の一端部をそれぞれ回動自在に連結するための刃ヘッド側連結部Ｂの構成要素となる。
【００３５】
次に、本体グリップ２について詳述する。本体グリップ２の外殻を構成する本体グリップケース２６は外周部がグリップ部となるものであり、この本体グリップケース２６は前本体グリップケース２６ａと、後本体グリップケース２６ｂとに分割してあり、前後本体グリップケース２６ａ、２６ｂを結合した状態で本体グリップケース２６の下部が密封された箱体となっており、この本体グリップケース２６の下部の箱体となった部分の内部に電池２７、駆動回路１６、スイッチ釦２８と、これらを保持する基台２９を内装して固定してある。前後の本体グリップケース２６ａ、２６ｂはこれらの内装部品を組込んだ後に後面側からねじ３０により固定される。
【００３６】
本体グリップケース２６の下部の箱体形状に密封された部分の上面部より上側、つまり本体グリップケース２６の上部は上方が開口した凹所となっており、この凹所には刃ヘッド１を支持するためのヘッド支持ブロック３が配置されるようになっている。
【００３７】
ヘッド支持ブロック３は、刃ヘッド１と本体グリップ２を連結するための左右一対の連結部材２５と、左右一対の各連結部材２５の一端部を連結する支持台３１と、支持台３１に固定され本体グリップケース２６ａ、２６ｂに対して上下移動自在に取付けられるガイド部材３８とで構成してある。
【００３８】
連結部材２５は前後２つのアーム部３２と、前後２つのアーム部３２の一端部（下端部）を一体に連結する軸３４と、前後２つのアーム部３２の他端部（上端部）にそれぞれ設けた前後方向を向く軸３３とで構成してある。
【００３９】
ガイド部材３８は後述のようにして本体グリップケース２６に上下方向にスライド自在に取付けられるのであるが、このガイド部材３８の上面部に支持台３１がねじ３９により取付けられる。
【００４０】
支持台３１は上記ガイド部材３８の上面に固定するための底板３１ａの前後両端からそれぞれ刃ヘッド１の前後両側にオーバラップする起立片３１ｂを突設したＵ字状をしており、前後の起立片３１ｂの上端部の左右２箇所に孔３５を設けてある。この孔３５には連結部材２５の上端部に設けた軸３３が回動自在に嵌め込んであり、連結部材２５の上端部に設けた軸３３と孔３５との嵌め込みにより連結部材２５の一端部を本体グリップ２側に回動自在に連結する本体側連結部Ａが構成される。このようにして左右一対で２個の連結部材２５の一端部（上端部）が上記のように軸３３と孔３５とよりなる本体側連結部Ａにより回動自在に連結される。
【００４１】
また、該一対の連結部材２５の下端部の軸３４がそれぞれ、図４に示すようにヘッドケース７の下端部に設けた溝２４に回動自在に嵌め込まれ、該溝２４に外れ防止の蓋３６を被せ、前述のモータ４を固定するためのねじ１４によりて取付けることで刃ヘッド１側に回動自在に連結される。したがって溝２４、蓋３６、軸３４により連結部材２５の一端部を刃ヘッド１側に回動自在に連結するための刃ヘッド側連結部Ｂが構成される。
【００４２】
このようにして、本体グリップ２の一端部（上端部）側に一対の連結部材２５を介して刃ヘッド１が取付けられるのであるが、この場合、本体側連結部Ａが刃ヘッド側連結部Ｂよりも刃ヘッド１の刃面Ｃ側に近づくように配置してあり（つまり、刃面Ｃが刃ヘッド１の上面に存在するので、本体側連結部Ａが上位置、刃ヘッド側連結部Ｂを下位置となるように配置してあり）、刃ヘッド１は上記一対の連結部材２５を介して本体グリップ２に対して左右方向に揺動自在に吊下げてある。
【００４３】
ここで、一対の連結部材２５を刃ヘッド１に連結する部分である刃ヘッド側連結部Ｂ間の距離が本体側連結部Ａ間の距離よりも長くなっており、一対の連結部材２５は正面視で八字状をしている。これにより、一対の連結部材２５のアーム部３２延長線上の交点を瞬間仮想支点Ｏとして刃ヘッド１を連結部材２５を介して本体グリップ２に対して揺動し得るようになっている。なお、一対の連結部材２５の刃ヘッド側連結部Ｂ間の距離を本体側連結部Ａ間の距離の１．５倍以上とすることが好まし。一対の連結部材２５の刃ヘッド側連結部Ｂ間の距離を本体側連結部Ａ間の距離の１．５倍に満たないと、揺動角度が小さ過ぎて肌への追従性に問題があるが、１．５倍以上とすることで、一対の連結部材２５により肌への追従性良く且つ安定して刃ヘッド１を揺動自在に吊り下げ支持できるものである。また、一対の連結部材２５のなす角度が３０°〜１２０°の範囲にあることが好ましいものである。
【００４４】
左右一対の連結部材２５における前後のアーム部３２はそれぞれ刃ヘッド１の前後面でリンクを構成するが、衝撃防止や、髭などのごみのかみ込みを防ぐため、外側をカバーすることが好ましい。
【００４５】
本実施形態ではヘッドケース７の前後部分に下面が開口３７ａとなった凹部３７を設け、この凹部３７内に連結部材２５の左右のアーム部３２、軸３３、起立片３１ｂを開口３７ａから組込むことで前後の面を保護し、また、蓋３６で軸３４を保護している。
【００４６】
上端部に支持台３１を取付けたガイド部材３８は支持台３１の底板３１ａに形成した孔３１ｃと対応する孔４０が設けてあり、この連通する孔３１ｃ、孔４０をリード線１５が通るようになっている。
【００４７】
ガイド部材３８には孔４０を横切るように桟４１が設けてあり、ヘッドケース７の下端と桟４１をつなぐように引張りばねよりなるばね４２が装着してる。
【００４８】
前の本体グリップケース２６ａの上部の後面と、後の本体グリップケース２６ｂの上部の前面には図１に示すように、それぞれ上下方向にガイド溝４３が凹設してあり、ヘッド支持ブロック３は前後の本体グリップケース２６ａ、２６ｂの間に挟まれるように配置されており、ガイド部材３８の前後面に設けたガイド部３８ａを上記したガイド溝４３に上下方向にスライド自在に嵌め込むことでヘッド支持ブロック３が本体グリップケース２６の上部の凹所内に上下にスライド自在に取付けられるものである。本体グリップケース２６の上部に設けた凹部の底（すなわち下部の箱状部の上面部）とヘッド支持ブロック３のガイド部材３８との間にはばね４４が介在してあって、ばね４４によりヘッド支持ブロック３に上方へのばね力を付与している。ここで、上下移動自在に本体グリップ２に取付けられるヘッド支持ブロック３が本体グリップ２から抜けないようにストッパ（図示せず）が設けてある。
【００４９】
このように、ヘッド支持ブロック３が本体グリップ２に上下方向に移動自在で且つばね４４で上方に弾性付勢してあるので、刃ヘッド１が本体グリップ２に対して上下方向に移動自在にフロート支持されることになる。
【００５０】
上記のような構成の電気かみそりの使用に当たっては、本体グリップ２のグリップ部を手で掴んで、刃ヘッド１の刃面Ｃを肌に押し当てて髭剃りを行うものである。
【００５１】
ここで、刃ヘッド１は本体グリップ２に対して前述のように一対の連結部材２５を備えたヘッド支持ブロック３を介して図６（ａ）（ｂ）のように上下動自在で且つ図７（ａ）（ｂ）のように揺動自在で（本実施形態では左右方向に揺動自在）に連結してあるので、肌への追従性を向上すると共に肌への衝撃を緩和することにより肌当たりを柔らかくして、滑らかな剃り心地が得られるものである。なお、図６（ａ）は刃ヘッド１がフロートしている状態であり、図６（ｂ）は刃ヘッド１に外力が作用していない中立状態を示している。
【００５２】
また、一対の連結部材２５を介して刃ヘッド１を本体グリップ２に対して揺動自在に連結してあるので、一対の連結部材２５によりリンク機構が構成され、添付図面に示すように、一対の連結部材２５を八字状に配置することにより、連結部材２５の両端部の回動部分となる刃ヘッド側連結部Ｂと本体側連結部Ａとを結ぶ線の延長線の交わる点である瞬間仮想支点Ｏを実際の回動軸となる部分よりも刃ヘッド１の刃面Ｃである外刃に近い位置に設けることができ、これにより回動時の刃ヘッド１の刃面Ｃの移動を少なくすることができるものである。
【００５３】
しかも、本体側連結部Ａを刃ヘッド側連結部Ｂよりも刃ヘッド１の刃面Ｃ側に近づけて一対の連結部材２５により本体グリップ２に刃ヘッド１を吊り下げて支持するように構成した吊り下げ支持方式のリンク構造としてあるので、図６（ｂ）の状態において仮に刃面Ｃの左側に左斜め方向から力Ｆ３が作用した場合、正面から見て両連結部材２５がそれぞれ本体側連結部Ａを回動中心として反時計周りｎｉ回動して刃ヘッド１が全体として反時計周りに回動するが、図７（ａ）のように、右側の連結部材２５の本体側連結部Ａと刃ヘッド側連結部Ｂとを結ぶ線が上記斜めから作用する力Ｆ３と平行になるまで回動すると、上記斜め方向から作用する力Ｆ３に対応した刃ヘッド１の傾斜角度で止まり、安定した状態で刃ヘッド１の刃面Ｃが肌面に押し当てられることになる。
【００５４】
また、仮に図６（ｂ）の状態において刃面Ｃの右側に右斜め方向から力Ｆ４が作用した場合、正面から見て両連結部材２５が本体側連結部Ａを回動中心として時計周り回動して刃ヘッド１が全体として時計周りに回動するが、連結部材２５が水平となる（つまり、本体側連結部Ａと刃ヘッド側連結部Ｂとを結ぶ線が水平となる）以前に、図７（ｂ）のように、左側の連結部材２５の本体側連結部Ａと刃ヘッド側連結部Ｂとを結ぶ線が上記斜めから作用する力Ｆ４と平行になるまで回動すると、上記斜め方向から作用する力Ｆ４に対応した刃ヘッド１の傾斜角度で止まり、安定した状態で刃ヘッド１の刃面Ｃが肌面に押し当てられることになる。
【００５５】
上記力Ｆ３や力Ｆ４で示される力Ｆは刃ヘッド１の刃面Ｃを肌に押し当てた時に刃面Ｃに作用する肌からの反力であり、刃ヘッド１が押し当てられる肌の状態や、刃ヘッド１を肌に押し当てる状態が異なると、当然、肌からの作用する反力である力Ｆの方向、傾斜角度が異なるが、本発明においては、常に、斜めから作用する力の方向、傾斜角度に対応して連結部材２５の本体側連結部Ａと刃ヘッド側連結部Ｂとを結ぶ線が上記斜めから作用する力Ｆと平行になるまで回動した状態で安定して停止するものである。また、力Ｆの大きさは刃ヘッド１を肌に強く押付けたり、弱く押付けたりすることで異なるが、この力Ｆの大きさが異なっても、本発明においては、斜めから作用する力Ｆで刃ヘッド１が回動すると、力Ｆの方向、傾斜角度に対応して連結部材２５の本体側連結部Ａと刃ヘッド側連結部Ｂとを結ぶ線が上記斜めから作用する力Ｆと平行になるまで刃ヘッド１が回動した状態で安定して停止するものである。これにより肌に対して刃ヘッド１の当て方向、力に応じて、刃面Ｃが最も好ましい状態で肌に押し当たるように刃ヘッド１が揺動し、刃ヘッド１の押し当て方向に適した好ましい状態となるように肌に対して刃面Ｃを位置させた状態で安定させることができるものであり、どのような剃り方をしても髭剃りが最も良好にできる姿勢に刃ヘッド１の刃面Ｃを肌にスムーズに追従させながら髭の剃り残しがないように良好な髭剃りができるものである。
【００５６】
ここで、刃ヘッド１を本体グリップ２に対して上記のように連結部材２５を介して吊り下げ支持する方式とし且つ前後の高い位置で前後両側から連結部材２５により刃ヘッド１を挟み込むように吊り下げることで、前後の斜め方向からの押付けにもこじれ難くなり、強い押付けや、弱い押付けに係わらず、外刃の刃面Ｃを押付け方向に向けることができる。
【００５７】
この場合、本実施形態のように、一対の連結部材２５を本体グリップ２側にそれぞれ連結するための本体側連結部Ａ及び刃ヘッド側連結部Ｂにおける連結方式がいずれも軸回転式とすることで、少ない力で刃ヘッド１を揺動回動できるものであり、これによりどのような剃り方をしても刃面Ｃを肌によりいっそうスムーズに追従させることができるものである。
【００５８】
また、連結部材２５の前後２つのアーム部３２の一端部（下端部）を軸３４で一体化してあるのでがたの発生する連結箇所を減らせると同時に前後に長い軸３４をヘッドケース７の下端部に設けた前後方向に長い溝２４に回動自在に嵌め込む構造にできて、軸３４と溝２４との係り代が長くなり、ねじりに対してこじれにくいリンク機構にできるものである。
【００５９】
また、引張りばねよりなるばね４４で刃ヘッド１とヘッド支持ブロック３を常に引き合う状態としておくことで、刃ヘッド１への外力がない状態において、常に刃ヘッド１の傾きを中立に保つことが可能となり、肌に対しての当たり角が安定するものであり、ばね４４として引張りばねを用いたことによりばね力が左右方向の回転力に及ぼす力を小さくすることができ、肌への追従性を向上させることができる。
【００６０】
本発明の電気かみそりにはトリマーブロック４５が設けてあるが、このトリマーブロック４５は後本体グリップケース２６ｂの後側に取付けフック４６によりフック係合され、トリマーブロック４５を上方向にスライドすることにより、刃ヘッド１のトリマー駆動杆２１とトリマーブロック４５のトリマー駆動子が結合し、トリマー刃４８が駆動されるようになっている。
【００６１】
次に、本発明の他の実施形態を図８乃至図１１に基いて説明する。
【００６２】
前記図１乃至図７に示す実施形態においては、刃ヘッド１が本体グリップ２に対して左右方向に揺動するようになっていたが、本実施形態では刃ヘッド１が本体グリップ２に対して前後方向に揺動するようになっている。本実施形態の説明に当たり、電気かみそりの基本的形態は前述の実施形態と同じ構成であるので、同じ構成には同じ番号を付し、重複する説明は省略し、異なる点につき説明する。
【００６３】
図８に示すように、刃ヘッド１の外刃ブロック６の下方でヘッドケースカバー８の上面部には側面から見て前後２箇所に左右横方向に溝１２４が設けてある。この前後の溝１２４は刃ヘッド１に対して一対の連結部材２５の一端部をそれぞれ回動自在に連結するための刃ヘッド側連結部Ｂの構成要素となる。
【００６４】
連結部材２５は左右２つのアーム部１３２と、左右２つのアーム部１３２の一端部（下端部）を一体に連結する軸１３４と、前後２つのアーム部１３２の他端部（上端部）にそれぞれ設けた左右方向を向く軸１３３とで構成してある。
【００６５】
ガイド部材３８の上面部に取付けられる支持台３１は、ガイド部材３８の上面に固定するための底板１３１ａの左右両端からそれぞれ刃ヘッド１の左右両側にオーバラップする起立片１３１ｂを突設したＵ字状をしており、左右の起立片１３１ｂの上端部の前後２箇所に孔１３５を設けてある。また、底板１３１ａにはリード線１５を通すための孔１３１ｃが設けてある。起立片１３１ｂに設けた孔１３５には連結部材２５の上端部に設けた軸１３３が回動自在に嵌め込んであり、連結部材２５の上端部に設けた軸１３３と孔１３５との嵌め込みにより連結部材２５の一端部を本体グリップ２側に回動自在に連結する本体側連結部Ａが構成される。このようにして前後一対で２個の連結部材２５の一端部（上端部）が上記のように軸１３３と孔１３５とよりなる本体側連結部Ａにより回動自在に連結される。
【００６６】
また、該一対の連結部材２５の下端部の軸１３４がそれぞれ、ヘッドケースカバー８の上面部の前後にそれぞれ溝１２４に回動自在に嵌め込まれ、ゴム押さえ板１２をヘッドケースカバー８を介してねじ１３で固定することでヘッドケースカバー８により溝１２４が蓋されることなる。したがって溝１２４、該溝１２４の蓋となるヘッドケースカバー８、軸１３４により連結部材２５の一端部を刃ヘッド１側に回動自在に連結するための刃ヘッド側連結部Ｂが構成される。
【００６７】
このようにして、本体グリップ２の一端部（上端部）側に一対の連結部材２５を介して刃ヘッド１が取付けられるのであるが、この場合、本体側連結部Ａが刃ヘッド側連結部Ｂよりも刃ヘッド１の刃面Ｃ側に近づくように配置してあり（つまり、刃面Ｃが刃ヘッド１の上面に存在するので、本体側連結部Ａが上位置、刃ヘッド側連結部Ｂを下位置となるように配置してあり）、刃ヘッド１は上記一対の連結部材２５を介して本体グリップ２に対して前後方向に揺動自在に吊下げてある。
【００６８】
ここで、一対の連結部材２５を刃ヘッド１に連結する部分である刃ヘッド側連結部Ｂ間の距離が本体側連結部Ａ間の距離よりも長くなっており、一対の連結部材２５は側面視で八字状をしている。これにより、前後一対の連結部材２５のアーム部１３２の延長線上の交点を瞬間仮想支点Ｏとして刃ヘッド１を連結部材２５を介して本体グリップ２に対して前後方向に揺動し得るようになっている。
【００６９】
前後一対の連結部材２５における前後のアーム部１３２はそれぞれ刃ヘッド１の前後面でリンクを構成するが、衝撃防止や、髭などのごみのかみ込みを防ぐため、外側をカバーすることが好ましい。
【００７０】
本実施形態においては、ヘッドケース７の上開口部を防水するための駆動子防水ゴム１１を押さえるためにヘッドケース７にねじ１３で固定されるゴム押さえ板１２の左右に上方に向けて内部が空所となり下方に開口した収納部１２ａを突設し、このゴム押さえ板１２の左右の収納部１２ａ内に連結部材２５の前後のアーム部１３２、軸１３３、起立片１３１ｂを下方の開口から組込むことで左右の面を保護している。
【００７１】
本実施形態においても、刃ヘッド１が本体グリップ２に対して上記のように一対の連結部材２５を備えたヘッド支持ブロック３を介して上下動自在となっているが、この構成は前述の実施形態で説明したのと同じ構成であるので、説明は省略する。
【００７２】
次に本実施形態の動作につき説明する。本実施形態も上記のように、刃ヘッド１が本体グリップ２に対して上下移動自在で且つ図１２（ａ）（ｂ）のように揺動自在で（本実施形態では前後方向に揺動自在）に連結してあるので、肌への追従性を向上すると共に肌への衝撃を緩和することにより肌当たりを柔らかくして、滑らかな剃り心地が得られるものである。
【００７３】
また、一対の連結部材２５を介して刃ヘッド１を本体グリップ２に対して前後方向に揺動自在に連結してあるので、一対の連結部材２５によりリンク機構が構成され、添付図面に示すように、一対の連結部材２５を側面視八字状に配置することにより、図１１、図１２に示すように、連結部材２５の両端部の回動部分となる刃ヘッド側連結部Ｂと本体側連結部Ａとを結ぶ線の延長線の交わる点である瞬間仮想支点Ｏを実際の回動軸となる部分よりも刃ヘッド１の刃面Ｃである外刃に近い位置に設けることができ、これにより回動時の刃ヘッド１の刃面Ｃの移動を少なくすることができるものである。
【００７４】
しかも、本体側連結部Ａを刃ヘッド側連結部Ｂよりも刃ヘッド１の刃面Ｃ側に近づけて一対の連結部材２５により本体グリップ２に刃ヘッド１を吊り下げて支持するように構成した吊り下げ支持方式のリンク構造としてあるので、今、仮に図１１において刃面Ｃの前側に前斜め方向から力Ｆ５が作用した場合、側面から見て両連結部材２５がそれぞれ本体側連結部Ａを回動中心として反時計周り回動して刃ヘッド１が全体として反時計周りに回動するが、図１２（ａ）のように、後側の連結部材２５の本体側連結部Ａと刃ヘッド側連結部Ｂとを結ぶ線が上記前斜め方向から作用する力Ｆ５と平行になるまで回動すると、上記前斜め方向から作用する力Ｆ５に対応した刃ヘッド１の傾斜角度で止まり（つまり図１２（ａ）の状態で止まり）、安定した状態で刃ヘッド１の刃面Ｃが肌面に押し当てられることになる。
【００７５】
また、仮に図１１において刃面Ｃの後側に後斜め方向から力Ｆ６が作用した場合、側面から見て両連結部材２５が本体側連結部Ａを回動中心として時計周りに回動して刃ヘッド１が全体として時計周りに回動するが、図１２（ｂ）のように、前側の連結部材２５の本体側連結部Ａと刃ヘッド側連結部Ｂとを結ぶ線が上記斜めから作用する力Ｆ４と平行になるまで回動すると、上記斜め方向から作用する力Ｆ６に対応した刃ヘッド１の傾斜角度で止まり（つまり図１２（ｂ）の状態で止まり）、安定した状態で刃ヘッド１の刃面Ｃが肌面に押し当てられることになる。この結果、どのような剃り方をしても髭剃りが最も良好にできる姿勢に刃ヘッド１の刃面Ｃを肌にスムーズに追従させながら髭の剃り残しがないように良好な髭剃りができるものである。
【００７６】
ここで、刃ヘッド１を本体グリップ２に対して上記のように連結部材２５を介して吊り下げ支持する方式とし且つ左右の高い位置で左右両側から連結部材２５により刃ヘッド１を挟み込むように吊り下げることで、左右の斜め方向からの押付けにもこじれ難くなり、強い押付けや、弱い押付けに係わらず、外刃の刃面Ｃを押付け方向に向けることができる。
【００７７】
この場合、本実施形態のように、一対の連結部材２５を本体グリップ２側にそれぞれ連結するための本体側連結部Ａ及び刃ヘッド側連結部Ｂにおける連結方式がいずれも軸回転式とすることで、少ない力で刃ヘッド１を前後方向に揺動回動できるものであり、これによりどのような剃り方をしても刃面Ｃを肌によりいっそうスムーズに追従させることができるものである。
【００７８】
また、連結部材２５の左右２つのアーム部３２の一端部（下端部）を軸１３４で一体化してあるので、がたの発生する連結箇所を減らせると同時に左右に長い軸１３４をヘッドケースカバー８の上面部の前後に設けた左右方向に長い溝２４に回動自在に嵌め込む構造にできて、軸１３４と溝１２４との係り代が長くなり、ねじりに対してこじれにくいリンク機構にできるものである。
【００７９】
また、本実施形態においても、引張りばねよりなるばね４４で刃ヘッド１とヘッド支持ブロック３を常に引き合う状態としておくことで、刃ヘッド１への外力がない状態において、常に刃ヘッド１の傾きを中立に保つことが可能となり、肌に対しての当たり角が安定するものであり、ばね４４として引張りばねを用いたことによりばね力が左右方向の回転力に及ぼす力を小さくすることができ、肌への追従性を向上させることができる。
【００８０】
ところで、図１乃至図７に示す実施形態においてはヘッドケース７の下面に溝２４を設けてこの溝２４に軸３４を回動自在にはめ込んで刃ヘッド側連結部Ｂを構成しており、図８乃至図１２に示す実施形態においては、ヘッドケース７の上面部に取付けられるヘッドケースカバー８の上面部に溝１２４を設けてこの溝１２４に軸１３４を回動自在にはめ込んで刃ヘッド側連結部Ｂを構成している。これは、刃ヘッド１は内刃５の往復移動方向である左右方向の巾が前後方向の巾に比べて長いものであり、このため、図１乃至図７に示すように連結部材２５を左右に配置する実施形態の場合、一対の連結部材２５を正面視八字状に配置する際に、両連結部材２５間の間隔を左右方向に大きく取って瞬間仮想支点Ｏをできるだけ上方に位置するようにすることができるが、図８乃至図１２に示すように連結部材２５を前後に配置する実施形態の場合、一対の連結部材２５を側面視八字状に配置する際に、両連結部材２５間の間隔を前後方向に大きく取ることができず、したがって、上記のように図１乃至図７における溝２４位置よりも高い位置であるヘッドケースカバー８の上面部に溝１２４を設け、側面視における両連結部材２５間の間隔が短くても瞬間仮想支点Ｏをできるだけ上方に位置させて刃面Ｃに近づけることができるようにしてある。
【００８１】
次に、図１３、１４に基いて本発明の更に他の実施形態につき説明する。
【００８２】
本実施形態は基本的構成は前述の図８乃至図１２に示す実施形態と同様に、刃ヘッド１を前後に配置した連結部材２５により本体グリップ２に連結して、本体グリップ２に対して前後方向に揺動自在としたものであって、前の連結部材２５のアーム部１３２ａと、後の連結部材２５のアーム部１３２ｂとの長さを異ならせ、更に、側面視で前後２箇所の本体側連結部Ａの構成要素である孔１３５ａ、１３５ｂ間の中間点Ｑの位置を本体グリップ２の前後方向の中間を通る中心線Ｍ（実施形態のものは本体グリップ２が緩やかな傾斜のＳ字状に曲っているので本体グリップ２の上部の前後方向の中間を通る線）よりも前後方向にずらした構成となっている（ここで、中立状態における刃ヘッド１の前後方向の中間を通る中心線が上記中心線Ｍと一致する）ことが前述の図８乃至図１２に示す実施形態と異なるのみで、他の構成は同じ構成となっており、同じ構成については説明が重複するので省略し、異なる点を中心に説明する。
【００８３】
すなわち、図１３、図１４に示す実施形態では前の連結部材２５のアーム部１３２ａを後の連結部材２５のアーム部１３２ｂよりも長く形成してあり、更に、孔１３５ａ、１３５ｂ間の中間点Ｑの位置を本体グリップ２の前後方向の中間を通る中心線Ｍよりも後方にずらしてある。
【００８４】
本実施形態では、刃ヘッド１の前後方向の揺動を行う際には、前の連結部材２５のアーム部１３２ａと、後の連結部材２５のアーム部１３２ｂとの延長線が交差する瞬間仮想支点Ｏが刃ヘッド１の前後方向の中心線Ｍよりも後方にずらしてあるので、前方向からの押付けに対してより軽い力で刃ヘッド１を前傾方向に揺動することができる。また、電気かみそりの使用状態においては、本体グリップ２はほとんどのパターンで前傾して使用されるものであり、前後方向に刃ヘッド１が揺動する際には、刃ヘッド１自身の重量が揺動を妨げる抵抗となるが、刃ヘッド１の前後方向の中心線より後方にずらすことでより軽い力で刃ヘッド１を前後方向に揺動することができるものである。
【００８５】
なお、本実施形態では、前の連結部材２５のアーム部１３２ａと、後の連結部材２５のアーム部１３２ｂとの長さを異ならせる構成と、側面視で前後２箇所の本体側連結部Ａの構成要素である孔１３５ａ、１３５ｂ間の中間点Ｑの位置を本体グリップ２の前後方向の中間を通る中心線Ｍよりも前後方向にずらす構成の２つを設けているが、いずれか片方の構成のみを設けるものであってもよい。
【００８６】
次に、図１５、図１６に基いて本発明の更に他の実施形態を説明する。本実施形態では２本の連結部材２５のアーム部２３２が弾性を有する部材により形成してある。ここで、連結部材２５と刃ヘッド１とを連結する刃ヘッド側連結部Ｂ、連結部材２５と本体グリップ２とを連結する本体側連結部Ａは両方又は一方が弾性を有する連結部材２５と刃ヘッド１側の一構成部材又は本体グリップ２側の一構成部材と一体に形成することで構成してある。
【００８７】
図１５、図１６においては、刃ヘッド側連結部Ｂは前述の各実施形態と同様に軸を用いた回動可能な構造となっているが、本体グリップ２側に取付けられる支持台２３１に連結部材２５のアーム部２３２の端部が一体に連結してあり、この一体に連結した部分が本体側連結部Ａを構成している。このようにアーム部２３２を本体グリップ２側乃至刃ヘッド１側の少なくとも一方に一体化することで本体側連結部Ａ又は刃ヘッド側連結部Ｂを構成しても、アーム部２３２が弾性を有しているので、図１６（ａ）（ｂ）のようにアーム部２３２が弾性変形することで、リンク機構に極似した機能を果たして刃ヘッド１を揺動することができる。
【００８８】
本実施形態においては、回転軸を用いたリンク機構に比べ、少ない部品点数でリンク機構に極似した揺動機構が構成できるだけでなく、軸と軸受けによるがたを無くせる効果がある。
【００８９】
本実施形態において、他の構成は前述の各実施形態と同じであるので説明は省略する。
【００９０】
次に、図１７、図１８に基いて本発明の更に他の実施形態を説明する。本実施形態においては、本体側連結部Ａの構成要素である孔３３５を上下方向に長い長孔とし、連結部材２５の軸３３３を上記孔３３５に回転自在且つ上下方向に移動自在に嵌め込んで本体側連結部Ａを構成してある。また、この本体側連結部Ａには弾性を有する部材により軸３３３を孔３３５の長手方向の一端部側に押付けてある。他の構成は前述の各実施形態と同様であるので重複する説明は省略する。
【００９１】
本実施形態においては、上記のようにリンク機構の軸受けとなる孔３３５を長孔にして、軸３３３を回動自在且つ上下方向に移動自在とすることで、リンクによる回動角だけでなく、軸３３３の移動による回転も加わるため、より大きな回動角が得られるものである。
【００９２】
更に、弾性部材の荷重を刃ヘッド１の引張りばね４２による回転荷重より小さくすることでより小さい力で刃ヘッド１の揺動回動が可能となる。
【００９３】
図１８（ａ）は図１７の状態で正面視において両方の軸３３３のうち、左側の軸３３３が長孔よりなる孔３３５に対して下方に移動してフロート状態となっており、図１８（ｂ）は両方の軸３３３のうち、左側の軸３３３が長孔よりなる孔３３５に対して下方に移動してフロート状態で且つリンク回転状態を示している。
【００９４】
また、左右両孔３３５の軸３３３が両方ともスライドした際には刃ヘッド１のフロートとなる。
【００９５】
本実施形態では本体側連結部Ａの軸受けとなる孔３３５を長孔とした例を示したが、刃ヘッド側連結部Ｂの軸受けとなる溝を溝深さが上下に長い溝として軸が回動自在で且つ上下方向に移動自在となるようにしても同様の効果がある。
【００９６】
なお、上記各実施形態において、連結部材２５を上下２段以上の複数段に分割してもよいものである。
【００９７】
なお、また、一対の連結部材２５を左右に配置して該一対の連結部材２５を介して刃ヘッド１を前後方向に揺動自在としたものにおいて、一対の連結部材２５を本体側連結部Ａで回動自在に支持する支持台３１をガイド部材３８に対して左右に配置した一対のリンクで左右方向に揺動自在に連結してもよい。ここで、ガイド部材３８は前述のように本体グリップケース２６に対して上下方向に移動自在で且つばね４４で上方に弾性付勢してある。したがって、本実施形態においては、刃ヘッド１が本体グリップ２に対して前後方向及び左右方向にそれぞれ揺動自在で、しかも上下方向に移動自在にフロート支持されることになり、よりっそう肌への追従性が良くなるものである。
【図面の簡単な説明】
【００９８】
【図１】本発明の電気かみそりの一実施形態の分解斜視図である。
【図２】同上の刃ヘッドの分解斜視図である。
【図３】同上の正面図である。
【図４】同上の正面断面図である。
【図５】同上の側面断面図である。
【図６】（ａ）は刃ヘッドのフロート状態を示す説明図であり、（ｂ）は刃ヘッドの中立状態を示す説明図である。
【図７】（ａ）（ｂ）はそれぞれ刃ヘッドに外力が作用して刃ヘッドが揺動した状態を示す説明図である。
【図８】本発明の他の実施形態の刃ヘッドの分解斜視図である。
【図９】同上の正面図である。
【図１０】同上の正面断面図である。
【図１１】同上の刃ヘッドの中立状態を示す説明図である。
【図１２】（ａ）（ｂ）はそれぞれ刃ヘッドに外力が作用して刃ヘッドが揺動した状態を示す説明図である。
【図１３】本発明の更に他の実施形態の刃ヘッドの中立状態を示す説明図である。
【図１４】（ａ）（ｂ）はそれぞれ刃ヘッドに外力が作用して刃ヘッドが揺動した状態を示す説明図である。
【図１５】本発明の更に他の実施形態の刃ヘッドの中立状態を示す説明図である。
【図１６】（ａ）（ｂ）はそれぞれ刃ヘッドに外力が作用して刃ヘッドが揺動した状態を示す説明図である。
【図１７】本発明の更に他の実施形態の刃ヘッドの中立状態を示す説明図である。
【図１８】（ａ）（ｂ）はそれぞれ刃ヘッドに外力が作用して刃ヘッドが揺動した状態を示す説明図である。
【図１９】従来例の作用説明図である。
【符号の説明】
【００９９】
Ａ  本体側連結部
Ｂ  刃ヘッド側連結部
１  刃ヘッド
２  本体グリップ
２５  連結部材
２６  本体グリップケース
３１  支持台
【図１】
2005192615.tif 000003
【図２】
2005192615.tif 000004
【図３】
2005192615.tif 000005
【図４】
2005192615.tif 000006
【図５】
2005192615.tif 000007
【図６】
2005192615.tif 000008
【図７】
2005192615.tif 000009
【図８】
2005192615.tif 000010
【図９】
2005192615.tif 000011
【図１０】
2005192615.tif 000012
【図１１】
2005192615.tif 000013
【図１２】
2005192615.tif 000014
【図１３】
2005192615.tif 000015
【図１４】
2005192615.tif 000016
【図１５】
2005192615.tif 000017
【図１６】
2005192615.tif 000018
【図１７】
2005192615.tif 000019
【図１８】
2005192615.tif 000020
【図１９】
2005192615.tif 000021